(57)【要約】【課題】既設のタラップに簡単に取り付けて、墜落事故を防止できるタラップ用ブロック取付支柱を提供する。【解決手段】支柱トップ材１と支柱ボトム材２とからタラップＴ用のブロック取付支柱Ｐを構成し、支柱トップ材１と支柱ボトム材２とは、それぞれ上下方向に長い柱状とし、支柱トップ材１の下端部と支柱ボトム材２の上端部とは、そのジョイント部１１，２１での挿入又は抜出に伴い上下に接合分離自在とする。支柱トップ材１には、上部に墜落防止用のブロック４０を吊り下げるブロック吊下部１２を備え、支柱ボトム材２には、タラップＴの踏棒ｔを握持するクランプ機構２２を設ける。これにより、ブロック４０を安全を確保する上で適切な位置に接続できるようにする。【選択図】図９
2018040111.tif 000002
【特許請求の範囲】
【請求項１】
支柱トップ材(1)と支柱ボトム材(2)とから成り、前記支柱トップ材(1)と前記支柱ボトム材(2)とは、それぞれ上下方向に長い柱状であり、前記支柱トップ材(1)の下端部と前記支柱ボトム材(2)の上端部とは、そのジョイント部(11,21)での挿入又は抜出に伴い上下に接合分離自在とされ、前記支柱トップ材(1)には、上部に墜落防止用のブロック(40)を吊り下げるブロック吊下部(12)が備えられ、前記支柱ボトム材(2)には、タラップ(T)の踏棒(t)を握持するクランプ機構(22)が設けられているタラップ用ブロック取付支柱。
【請求項２】
前記支柱トップ材(1)と前記支柱ボトム材(2)とは、それぞれ断面形状が角形とされ、前記支柱トップ材(1)及び前記支柱ボトム材(2)のそれぞれのジョイント部(11,21)には、直交する２方向に軸線が向く接続ボルト穴(13,23)が設けられ、前記支柱トップ材(1)と前記支柱ボトム材(2)の向きを適宜９０°変えて、前記接続ボルト穴(13,23)に挿通した接続ボルト(31)により、前記支柱トップ材(1)と前記支柱ボトム材(21)とが接合状態で固定されることを特徴とする請求項１に記載のタラップ用ブロック取付支柱。
【請求項３】
前記支柱ボトム材(2)のクランプ機構(22)は、タラップ(T)の踏棒(t)に沿う当接板(24)と、前記当接板(24)の挿通穴(24a)にフック部が挿通されたフックボルト(25)と、前記フックボルト(25)のねじ部にねじ込まれる長ナット(26)とから成り、前記長ナット(26)の締め付けに伴い、前記フックボルト(25)のフック部と前記当接板(24)とでタラップ(T)の踏棒(t)が握持されるものとしたことを特徴とする請求項１又は２に記載のタラップ用ブロック取付支柱。
【請求項４】
前記当接板(24)の挿通穴(24a)は、上下方向に長いスロット状とされ、前記挿通穴(24a)の長さ方向に沿って前記フックボルト(25)のフック部がスライド可能となっていることを特徴とする請求項３に記載のタラップ用ブロック取付支柱。
【請求項５】
前記支柱ボトム材(2)には、タラップ(T)の踏棒(t)に載せるように引っ掛ける仮置きフック(27)が設けられていることを特徴とする請求項１乃至４のいずれか１項に記載のタラップ用ブロック取付支柱。
【請求項６】
前記支柱トップ材(1)と前記支柱ボトム材(2)とを、分離状態で向きを揃えて結束する結束ベルト(33)が備えられていることを特徴とする請求項１乃至５のいずれか１項に記載のタラップ用ブロック取付支柱。
【発明の詳細な説明】
【技術分野】
【０００１】
この発明は、建物の屋上へ昇る際、又は屋上から降りる際に使用するタラップからの墜落を防止するためのタラップ用ブロック取付支柱に関するものである。
【背景技術】
【０００２】
一般に、建物の屋上の保守や点検、屋上への設備設置等のため、屋上へ昇る際、又は屋上から降りる際には、出入口となる屋上のハッチの下方に臨む建物の壁面に設置されたタラップを使用して昇降する。その昇降に際し、タラップの最上段の踏棒に足を載せて上半身がハッチから上方へ出た状態では、タラップの踏棒を握ることができないため、タラップから屋上へ移る際、体が不安定となって墜落する危険性がある。
【０００３】
このような状況下における墜落事故を防止するタラップとして、下記特許文献１には、図１１に示すものが記載されている。このタラップは、踏棒５１が連結された縦パイプ５２に、その上端から出没する延長パイプ５３が所定位置で係止可能に挿入され、縦パイプ５２がステー５４を介して建物のハッチＨの下方の壁面Ｗに固定されるものである。
【０００４】
上記のようなタラップを備えた建物では、屋上での作業に先立って、縦パイプ５２に対し延長パイプ５３を上方へ突出させて係止しておくと、タラップの最上段の踏棒５１に足を載せて上半身がハッチＨから上方へ出た状態になるとき、延長パイプ５３を握って体を支えることにより、墜落事故を防止できる。
【先行技術文献】
【特許文献】
【０００５】
【特許文献１】実開平７−１２９７号公報
【発明の概要】
【発明が解決しようとする課題】
【０００６】
しかしながら、上記特許文献１に記載されたタラップは、建物に工事を行って永続的に取り付けられるものであり、既設のタラップを昇降して屋上作業を行う場合には、墜落防止用のブロックを使用する等の安全対策を講じる必要があるものの、建物にはブロックの接続に適した堅固な付設物がないのが通常である。
【０００７】
そこで、この発明は、既設のタラップに簡単に取り付けて、墜落事故を防止できるタラップ用ブロック取付支柱を提供しようとするものである。
【課題を解決するための手段】
【０００８】
上記課題を解決するため、この発明は、支柱トップ材と支柱ボトム材とから成り、前記支柱トップ材と前記支柱ボトム材とは、それぞれ上下方向に長い柱状であり、前記支柱トップ材の下端部と前記支柱ボトム材の上端部とは、そのジョイント部での挿入又は抜出に伴い上下に接合分離自在とされ、前記支柱トップ材には、上部に墜落防止用のブロックを吊り下げるブロック吊下部が備えられ、前記支柱ボトム材には、タラップの踏棒を握持するクランプ機構が設けられているタラップ用ブロック取付支柱を提供し、これにより、安全を確保する上で適切な位置にブロックを接続できるようにしたのである。
【０００９】
また、前記支柱トップ材と前記支柱ボトム材とは、それぞれ断面形状が角形とされ、前記支柱トップ材及び前記支柱ボトム材のそれぞれのジョイント部には、直交する２方向に軸線が向く接続ボルト穴が設けられ、前記支柱トップ材と前記支柱ボトム材の向きを適宜９０°変えて、前記接続ボルト穴に挿通した接続ボルトにより、前記支柱トップ材と前記支柱ボトム材とが接合状態で固定されるものとし、様々な設置状況のタラップに取り付けて、ブロックを適切な向きに接続できるようにしたのである。
【００１０】
また、前記支柱ボトム材のクランプ機構は、タラップの踏棒に沿う当接板と、前記当接板の挿通穴にフック部が挿通されたフックボルトと、前記フックボルトのねじ部にねじ込まれる長ナットとから成り、前記長ナットの締め付けに伴い、前記フックボルトのフック部と前記当接板とでタラップの踏棒が握持されるものとし、工具を用いなくてもタラップに取り付けられるようにしたのである。
【００１１】
さらに、前記支柱ボトム材のクランプ機構は、上下方向に間隔をあけて複数設けられ、前記クランプ機構の当接板の挿通穴は、上下方向に長いスロット状とされ、前記挿通穴の長さ方向に沿って前記フックボルトのフック部がスライド可能となっているものとし、タラップの踏棒のピッチの違いに対応できるようにしたのである。
【００１２】
また、前記支柱ボトム材には、タラップの踏棒に載せるように引っ掛ける仮置きフックが設けられているものとし、タラップへの取付作業時における前記支柱ボトム材の落下を防止できるようにしたのである。
【００１３】
そのほか、前記支柱トップ材と前記支柱ボトム材とを、分離状態で向きを揃えて結束する結束ベルトが備えられているものとし、全長が短くなり一体化された状態で、ハッチの下方の位置まで１人で持ち運べるようにしたのである。
【発明の効果】
【００１４】
この発明に係るタラップ用ブロック取付支柱では、支柱ボトム材をクランプ機構により既設のタラップに取り付け、支柱ボトム材の上端部に支柱トップ材の下端部をジョイント部で接合して、支柱トップ材をハッチより上方へ突出させ、ブロック吊下部に墜落防止用のブロックを吊り下げ、ブロックのランヤードを作業者に接続することにより、タラップの昇降時における作業者の墜落事故を防止できる。
【００１５】
また、タラップの最上段の踏棒に足を載せて作業者の上半身がハッチから上方へ出た状態になるとき、作業者が支柱トップ材を握って体を支えることができる。
【００１６】
また、屋上における作業中にハッチが開口部とならないよう、ジョイント部での接合を解除して、支柱トップ材を支柱ボトム材から分離することにより、支柱ボトム材をタラップの踏棒から取り外すことなく、ハッチを迅速に閉じることができる。
【図面の簡単な説明】
【００１７】
【図１】この発明に係るタラップ用ブロック取付支柱の取付状態を示す斜視図
【図２】同上の他の取付状態を示す斜視図
【図３】同上の運搬時の結束状態を示す斜視図
【図４】同上の（Ｉ）支柱トップ材、（II）支柱ボトム材をそれぞれ示す斜視図
【図５】同上の支柱ボトム材のクランプ機構の（Ｉ）初期状態、（II）取付準備状態をそれぞれ示す斜視図
【図６】同上の上段側のクランプ機構によるタラップへの（Ｉ）取付過程、（II）取付状態をそれぞれ示す斜視図
【図７】同上の下段側のクランプ機構によるタラップへの（Ｉ）取付過程、（II）取付状態をそれぞれ示す斜視図
【図８】同上の支柱ボトム材と支柱トップ材の（Ｉ）接合過程、（II）接合状態をそれぞれ示す斜視図
【図９】同上のブロック取付支柱にブロックのランヤードを接続して作業者がタラップを昇降する状態を示す側面図
【図１０】同上の支柱トップ材を支柱ボトム材から分離してハッチの天蓋を閉じた状態を示す側面図
【図１１】特許文献１に記載のタラップの使用状態を示す斜視図
【発明を実施するための形態】
【００１８】
以下、この発明の実施形態を添付図面に基づいて説明する。
【００１９】
図１に示すように、このブロック取付支柱Ｐは、建物の屋上ＲのハッチＨの下方に臨む壁面Ｗに設置されたタラップＴに取り付け、上部に墜落防止用のブロック４０を吊り下げて使用するものである。
【００２０】
図９に示すように、ハッチＨは、ヒンジを軸に開閉する天蓋ｈを備えている。タラップＴは、昇降時に足を載せ、また手で握る踏棒ｔが上下方向に間隔をあけて複数段設けられたものであり、踏棒ｔは、中間部から曲がった両端部が壁面Ｗに埋込固定されている。
【００２１】
ブロック４０は、リトラクター４１と、これに巻回された帯ロープ４２ａの先端にフック４２ｂを備えたランヤード４２と、リトラクター４１を吊り下げるカラビナ４３とを備えている。帯ロープ４２ａは、リトラクター４１により巻取方向に付勢され、墜落発生時にはリトラクター４１からの引き出しがロックされる。
【００２２】
図４に示すように、ブロック取付支柱Ｐは、上下方向に長い柱状の支柱トップ材１と支柱ボトム材２とから成り、これらは断面寸法が同一の角形パイプを基本部材として形成されている。支柱トップ材１の下端部と支柱ボトム材２の上端部とは、軸線が一致するように上下に接合され、また分離できるようになっている。
【００２３】
図４（Ｉ）に示すように、支柱トップ材１の下端部には、支柱ボトム材２と接合するためのジョイント部１１が設けられ、支柱トップ材１の上端部には、ブロック４０を吊り下げる吊穴を備えたブロック吊下部１２が設けられている。
【００２４】
ジョイント部１１は、接合のスリーブとなるものであり、基本部材よりも一回り大きく短い筒体に、下方から支柱ボトム材２を挿入できるようにしたものである。
【００２５】
ジョイント部１１には、支柱ボトム材２との接合用の接続ボルト３１を挿通するため、直交する２方向に軸線が向く接続ボルト穴１３が設けられている。なお、接続ボルト３１は、工具がなくても締め付けられる蝶ボルトとされ、脱落防止のため、ジョイント部１１にワイヤー３２で繋がれている。
【００２６】
また、支柱トップ材１には、後述する支柱ボトム材２との結束に際し、位置決めするための係合穴１４が上下に間隔をあけて２個設けられている。そして、結束ベルト３３が係合穴１４の付近の２箇所に巻着され、これらの結束ベルト３３に運搬用の取手ベルト３４が渡されて取り付けられている。
【００２７】
図４（II）に示すように、支柱ボトム材２の上端部は、支柱トップ材１の下端部と接合するためのジョイント部２１とされている。支柱ボトム材２には、タラップＴの踏棒ｔを握持するクランプ機構２２が上下方向に間隔をあけて２箇所に設けられている。
【００２８】
ジョイント部２１には、支柱トップ材１との接合時に接続ボルト３１を挿通するため、直交する２方向に軸線が向く接続ボルト穴２３が設けられている。
【００２９】
クランプ機構２２は、タラップＴの踏棒ｔに沿わせる当接板２４と、当接板２４に形成された挿通穴２４ａにフック部が挿通されたフックボルト２５と、フックボルト２５のねじ部にねじ込まれる長ナット２６とから構成されている。
【００３０】
フックボルト２５には、鉤部の根元部分に当接板２４に対する姿勢を安定させるための横棒が両側へ突出するように設けられ、長ナット２６には、手締めを容易とするための横棒が両側へ突出するように設けられている。
【００３１】
各段のクランプ機構２２の当接板２４の挿通穴２４ａは、フックボルト２５のフック部の自由な揺動を可能とするため、上下方向に長いスロット状とされている。
【００３２】
下段側のクランプ機構２２の挿通穴２４ａは、長さ方向に沿ってフックボルト２５をスライドさせ、これに伴いタラップＴの踏棒ｔのピッチの違いに対応できるように、上段側のクランプ機構２２の挿通穴２４ａよりも、さらに上下方向に長くなっている。
【００３３】
上段側のクランプ機構２２の当接板２４には、仮置きフック２７が設けられ、支柱ボトム材２をタラップＴの踏棒ｔに取り付ける際、仮置きフック２７をタラップＴの踏棒ｔに載せるように引っ掛けておくことにより、支柱ボトム材２を落下しないように仮置きできるようになっている。仮置きフック２７は、使用状態でクランプ機構２２による踏棒ｔの締め付けが緩んだときに、ブロック取付支柱Ｐの落下を防止する機能をも有する。
【００３４】
また、各段のクランプ機構２２の当接板２４には、挿通穴２４ａの上方に、運搬時にフックボルト２５のフック部を仮保持する係止穴２４ｂが設けられている。
【００３５】
支柱ボトム材２の基本部材には、後述する支柱トップ材１との結束に際し、支柱トップ材１の係合穴１４と係合させて位置決めするための係合突起２８が上下に間隔をあけて２個設けられている。
【００３６】
上記のようなブロック取付支柱Ｐは、支柱トップ材１と支柱ボトム材２の重量の合計が９ｋｇ程度とされており、図３に示すように、支柱トップ材１と支柱ボトム材２とを分離した状態で、それらの向きを揃え、係合穴１４と係合突起２８とを係合させて、相互にずれないように位置決めし、結束ベルト３３で結束して、全長が短くなり一体化された状態で、取手ベルト３４を肩に掛けることにより、１人で持ち運ぶことができる。
【００３７】
このとき、フックボルト２５は、使用時の向きに対し反転させ、当接板２４に平行に近づくように傾け、フック部を係止穴２４ｂに挿入することにより、持ち運び時に垂れ下がって揺動しないようにしておく。
【００３８】
上記のようなブロック取付支柱ＰをタラップＴへ取り付ける際には、支柱トップ材１と支柱ボトム材２をハッチＨの下方の床に置き、結束ベルト３３による結束を解く。タラップＴへの取り付け作業は、一人で実施することもできるが、安全のため、二人以上で行うことが望ましい。
【００３９】
そして、準備作業として、図５（Ｉ）に示すように、支柱ボトム材２の上段側のクランプ機構２２の係止穴２４ｂに挿入されていたフックボルト２５のフック部を、図５（II）に示すように、係止穴２４ｂから引き抜いて、自由に揺動可能とし、当接板２４の上端に仮掛けした状態としておく。
【００４０】
次に、１人の作業者がタラップＴの下段側の踏棒ｔに上って、支柱ボトム材２を下方の作業者から受け取り、図６（Ｉ）に示すように、仮置きフック２７をタラップＴの最上段の踏棒ｔに載せるように引っ掛け、図６（II）に示すように、上段側のクランプ機構２２のフックボルト２５を正転させ、そのフック部を最上段の踏棒ｔに載せるように引っ掛けて、長ナット２６を締める。
【００４１】
続いて、図７（Ｉ）に示すように、下段側のクランプ機構２２の係止穴２４ｂに挿入されていたフックボルト２５のフック部を、図７（II）に示すように、上段側のクランプ機構２２の場合と同様、係止穴２４ｂから引き抜いて正転させ、タラップＴの踏棒ｔのピッチに対応するように、挿通穴２４ａに沿って上下方向に適宜スライドさせ、下方の踏棒ｔに載せるように引っ掛けて、長ナット２６を締める。
【００４２】
その後、支柱トップ材１を下方の作業者から受け取り、図８（Ｉ）に示すように、接続ボルト３１を接続ボルト穴１３から抜いた状態で、支柱トップ材１の下端部のジョイント部１１に支柱ボトム材２の上端部のジョイント部２１を挿入する。そして、図８（II）に示すように、いずれか一方向の接続ボルト穴１３，２３に接続ボルト３１を挿通し、図９に示すように、接続ボルト３１にナットを螺合させて、接続ボルト３１を締め付け、支柱トップ材１と支柱ボトム材２とを接合状態で固定する。
【００４３】
このようにブロック取付支柱ＰをタラップＴに取り付け、支柱トップ材１をハッチＨの開口部より９００ｍｍ程度上方へ突出させた状態で、支柱トップ材１のブロック吊下部１２にブロック４０のリトラクター４１をカラビナ４３で吊り下げ、ランヤード４２のフック４２ｂを作業者の安全ベルト４４のＤ環４４ａに接続すると、ブロック４０の吊下位置が作業者の腰の位置よりも高くなり、タラップＴの昇降時に作業者が仮に踏棒ｔを踏み外しても、作業者の落下高さが抑制されつつ、リトラクター４１からの帯ロープ４２ａの引き出しがロックされ、作業者の墜落事故を防止できる。
【００４４】
また、タラップＴの最上段の踏棒ｔに足を載せて作業者の上半身がハッチＨから上方へ出た状態になるとき、作業者が支柱トップ材１を握って体を支えることができるので、タラップＴから屋上Ｒへ移る際における安全性が向上する。なお、支柱トップ材１には、作業者が握りやすいように、グリップ部を設けておいてもよい。
【００４５】
また、屋上における作業中にハッチＨが開口部とならないよう、ジョイント部１１，２１での接合を解除して、図１０に示すように、支柱トップ材１を支柱ボトム材２から分離することにより、支柱ボトム材２をタラップＴの踏棒ｔから取り外すことなく、ハッチＨの天蓋ｈを迅速に閉じることができる。
【００４６】
また、支柱ボトム材２を、図１に示すように、タラップＴの踏棒ｔの壁面Ｗに平行な中間部分に取り付けるだけでなく、図２に示すように、踏棒ｔの壁面Ｗに垂直な両端側の部分に取り付けて、踏棒ｔに足を掛けやすくすることもできる。そして、踏棒ｔに対する支柱ボトム材２の取付方向に応じて、支柱トップ材１と支柱ボトム材２の向きを適宜９０°変えて、支柱トップ材１と支柱ボトム材２とを接合状態で固定できるので、様々な形状や設置状況のタラップＴに取り付けて、ブロック４０を適切な向きに接続できる。
【符号の説明】
【００４７】
１  支柱トップ材
１１  ジョイント部
１２  ブロック吊下部
１３  接続ボルト穴
１４  係合穴
２  支柱ボトム材
２１  ジョイント部
２２  クランプ機構
２３  接続ボルト穴
２４  当接板
２４ａ  挿通穴
２４ｂ  係止穴
２５  フックボルト
２６  長ナット
２７  仮置きフック
２８  係合突起
３１  接続ボルト
３２  ワイヤー
３３  結束ベルト
３４  取手ベルト
４０  ブロック
４１  リトラクター
４２  ランヤード
４２ａ  帯ロープ
４２ｂ  フック
４３  カラビナ
４４  安全ベルト
４４ａ  Ｄ環
Ｈ  ハッチ
ｈ  天蓋
Ｐ  ブロック取付支柱
Ｒ  屋上
Ｔ  タラップ
ｔ  踏棒
Ｗ  壁面
【図１】
2018040111.tif 000003
【図２】
2018040111.tif 000004
【図３】
2018040111.tif 000005
【図４】
2018040111.tif 000006
【図５】
2018040111.tif 000007
【図６】
2018040111.tif 000008
【図７】
2018040111.tif 000009
【図８】
2018040111.tif 000010
【図９】
2018040111.tif 000011
【図１０】
2018040111.tif 000012
【図１１】
2018040111.tif 000013